(57)【要約】【課題】スライダをスライド移動させる回転操作に加えてプッシュ操作も行える複合操作型電気部品を提供すること。【解決手段】操作部材７は軸受凹所７ｂに支軸１７を嵌挿させた状態で捩りコイルばね９に弾性付勢されており、ハウジング１に回転可能かつ前後進可能に支持されている。操作部材７の駆動凸部７ｆはスライダ８の係合凹部８ａと摺動可能に係合しており、操作部材７が回転操作されると、スライダ８がスライド移動して抵抗パターン５に対する摺動子１１の接触位置が変化する。また、操作部材７がプッシュ操作されると、摺動子１０が固定接点４ｂに接触する。回転操作力やプッシュ操作力が除去されたときには、捩りコイルばね９の弾性力によって操作部材７は初期位置へ自動復帰する。ハウジング１には、回転操作時やプッシュ操作時に操作部材７を位置規制する傾斜壁２ｄやガイド凹所２ｃが設けられている。【選択図】図１
2008210688.tif 000002
【特許請求の範囲】
【請求項１】
ハウジングと、このハウジングの内部にスライド移動可能に収納されたスライダと、前記ハウジングの外方へ突出するつまみ部を有して該つまみ部の突出量を増減させる前後進動作および該つまみ部を揺動させる回転動作が可能な状態で前記ハウジングに支持された操作部材と、この操作部材の回転動作を前記スライダのスライド移動に変換するリンク機構と、前記操作部材を初期位置へ復帰させる捩りコイルばねと、前記ハウジングに内設されて前記スライダのスライド位置に応じた電気信号が出力可能な第１の信号発生手段と、前記ハウジングに内設されて前記操作部材の前後進位置に応じた電気信号が出力可能な第２の信号発生手段とを備え、
前記ハウジングには、回転操作時の前記操作部材の前後進動作を規制する第１の規制部と、プッシュ操作時の前記操作部材の回転動作を規制する第２の規制部とが設けられており、かつ、前記捩りコイルばねには、前記操作部材に取り付けられた巻回部と、この巻回部の両端から延出する一対の腕部が設けられており、これら両腕部が前記操作部材の非回転動作時に前記ハウジングに弾接して掛止されていると共に、一方の前記腕部が前記操作部材の回転動作時に該操作部材に付勢されて前記ハウジングから離脱するように構成したことを特徴とする複合操作型電気部品。
【請求項２】
請求項１の記載において、前記操作部材に軸受凹所が設けられると共に、前記ハウジングの内部に前記軸受凹所に摺動可能に嵌挿される支軸が突設されており、かつ、前記軸受凹所内にプッシュ操作時に前記支軸を退避させるための逃げスペースが形成されており、非操作時に前記捩りコイルばねの弾性力によって前記軸受凹所の周壁に圧接する前記支軸を回転中心として、前記操作部材の回転動作が行われるようにしたことを特徴とする複合操作型電気部品。
【請求項３】
請求項１または２の記載において、前記リンク機構として、前記操作部材と前記スライダのうちの一方に凹部が設けられると共に、他方に前記凹部に摺動可能に係合する凸部が設けられており、かつ、前記凹部にプッシュ操作時に前記凸部を退避させるための逃げスペースが形成されていることを特徴とする複合操作型電気部品。
【請求項４】
請求項１〜３のいずれか１項の記載において、前記ハウジングの内壁面で前記操作部材の回動平面に対して略直交する領域に、前記第１の信号発生手段として抵抗パターンおよび集電パターンが配設されていると共に、これら両パターンに対して摺動可能な導電性の摺動子が前記スライダに保持されていることを特徴とする複合操作型電気部品。
【請求項５】
請求項１〜４のいずれか１項の記載において、前記ハウジングの内壁面で前記操作部材の回動平面に対して略平行な領域に、前記第２の信号発生手段として接点パターンが配設されていると共に、この接点パターンに対して接離可能な導電性の摺動子が前記操作部材に保持されていることを特徴とする複合操作型電気部品。
【発明の詳細な説明】
【技術分野】
【０００１】
本発明は、回転操作をスライダの直線運動に変換させて電気信号を取り出すことができると共に、操作部材が初期位置へ自動復帰するセルフリターン機能を有する電気部品に係り、特に、回転操作とプッシュ操作とを選択的に行えるようにした複合操作型電気部品に関する。
【背景技術】
【０００２】
操作部材の回転動作をスライダのスライド移動に変換して電気信号が取り出せるようになっている回転操作型電気部品は、スライダのスライド移動量が少ない場合でも操作部材を比較的大きく回転移動させることができるため、小型にして高精度な操作が行えるという利点を有している。また、操作部材が操作後に初期位置へ自動復帰するセルフリターン機能が具備されていると、操作開始時には操作部材が常に初期位置にセットされているため、操作部材の設定状態を確認しなくても操作が行えて便利である。
【０００３】
このように回転操作がスライダの直線運動に変換できると共にセルフリターン機能を有する電気部品の従来例としては、操作つまみと一体のレバーをハウジングの鍔部等で軸支し、該レバーの下端膨出部をハウジング内にスライド移動可能に収納されているスライダの凹所に摺動可能に係合させると共に、巻回部を該レバーに取り付けた捩りコイルばねの両腕部をハウジングに掛止させるという構成のものが知られている（例えば、特許文献１参照）。かかる従来例において、ハウジング内にはスライダの移動方向に沿って基板が設置されており、固定接点が配設されている該基板の表面に、スライダに保持された可動接点（摺動子）が摺接している。レバーは常に捩りコイルばねに弾性付勢されており、その付勢力に抗してユーザが操作つまみを一方向へ回転させると、レバーの下端膨出部が同じ向きに回転してスライダを駆動するため、スライダが基板に沿って直線的に移動して可動接点が固定接点に接離するようになっている。また、ユーザが操作つまみに対する回転操作力を除去すると、押し撓められていた捩りコイルばねの両腕部の弾性力によって、回転姿勢のレバーが初期位置まで押し戻されるようになっている。
【特許文献１】実登２５２５６５８号公報（第２頁、図７）
【発明の開示】
【発明が解決しようとする課題】
【０００４】
ところで、回転操作をスライダの直線運動に変換させて電気信号を取り出すようにした電気部品において、回転操作に加えてプッシュ操作も行えるようになっていると多機能化が図れて便利である。しかしながら、前述した従来例のように、操作つまみと一体のレバーがハウジングに軸支され、これら操作つまみとレバーが回転方向以外へは移動できないようになっている電気部品では、回転軸と直交する向きに操作部材を押し込むというプッシュ操作機能を追加することはできなかった。
【０００５】
本発明は、このような従来技術の実情に鑑みてなされたもので、その目的は、スライダをスライド移動させる回転操作に加えてプッシュ操作も行える複合操作型電気部品を提供することにある。
【課題を解決するための手段】
【０００６】
上記の目的を達成するために、本発明の複合操作型電気部品では、ハウジングと、このハウジングの内部にスライド移動可能に収納されたスライダと、前記ハウジングの外方へ突出するつまみ部を有して該つまみ部の突出量を増減させる前後進動作および該つまみ部を揺動させる回転動作が可能な状態で前記ハウジングに支持された操作部材と、この操作部材の回転動作を前記スライダのスライド移動に変換するリンク機構と、前記操作部材を初期位置へ復帰させる捩りコイルばねと、前記ハウジングに内設されて前記スライダのスライド位置に応じた電気信号が出力可能な第１の信号発生手段と、前記ハウジングに内設されて前記操作部材の前後進位置に応じた電気信号が出力可能な第２の信号発生手段とを備え、前記ハウジングには、回転操作時の前記操作部材の前後進動作を規制する第１の規制部と、プッシュ操作時の前記操作部材の回転動作を規制する第２の規制部とが設けられており、かつ、前記捩りコイルばねには、前記操作部材に取り付けられた巻回部と、この巻回部の両端から延出する一対の腕部が設けられており、これら両腕部が前記操作部材の非回転動作時に前記ハウジングに弾接して掛止されていると共に、一方の前記腕部が前記操作部材の回転動作時に該操作部材に付勢されて前記ハウジングから離脱するように構成した。
【０００７】
このように構成された複合操作型電気部品は、操作部材を回転させるとスライダがスライド移動するため第１の信号発生手段から電気信号を取り出すことができ、また、操作部材を前後進させると第２の信号発生手段から電気信号を取り出すことができる。そして、回転操作時には捩りコイルばねの一方の腕部が操作部材と共に回転してハウジングから離脱するため、捩りコイルばねの両腕部が閉じる向きに弾性変形し、プッシュ操作時には捩りコイルばねの巻回部が操作部材と共に後退するため、ハウジングに掛止されている両腕部が閉じる向きに弾性変形する。そのため、回転操作力やプッシュ操作力が除去されると、捩りコイルばねの両腕部の弾性力によって操作部材は初期位置へ自動復帰することとなり、異なる操作のセルフリターン機能を１個の捩りコイルばねで簡単に実現できる。また、この初期位置においても操作部材は捩りコイルばねに弾性付勢された状態に保たれるため、ハウジングに対して回転可能かつ前後進可能な操作部材を安定的に保持することができる。しかも、ハウジングには第１および第２の規制部が設けられているため、回転操作時に操作部材が誤って前後進したり、プッシュ操作時に操作部材が誤って回転する虞はない。
【０００８】
上記の構成において、操作部材に軸受凹所が設けられると共に、ハウジングの内部にこの軸受凹所に摺動可能に嵌挿される支軸が突設されており、かつ、前記軸受凹所内にプッシュ操作時に前記支軸を退避させるための逃げスペースが形成されており、非操作時に前記捩りコイルばねの弾性力によって前記軸受凹所の周壁に圧接する前記支軸を回転中心として、前記操作部材の回転動作が行われるようにしてあると、操作部材をがた付きなく回転可能かつ前後進可能に支持することができると共に、支軸の突出方向に沿う電気部品全体の高さ寸法を抑制した薄型化が図りやすくなる。
【０００９】
また、上記の構成において、リンク機構として、操作部材とスライダのうちの一方に凹部が設けられると共に、他方に前記凹部に摺動可能に係合する凸部が設けられており、かつ、前記凹部にプッシュ操作時に前記凸部を退避させるための逃げスペースが形成されていると、操作部材の回転動作をスライダのスライド移動に円滑に変換できると共に、プッシュ操作を阻害する虞のない簡素な構造のリンク機構が実現できる。
【００１０】
また、上記の構成において、ハウジングの内壁面で操作部材の回動平面に対して略直交する領域に、第１の信号発生手段として抵抗パターンおよび集電パターンが配設されていると共に、これら両パターンに対して摺動可能な導電性の摺動子がスライダに保持されていると、操作部材の回転操作量や回転操作方向に応じて異なる電気信号が出力される可変抵抗器として動作させることができる。
【００１１】
また、上記の構成において、ハウジングの内壁面で操作部材の回動平面に対して略平行な領域に、第２の信号発生手段として接点パターンが配設されていると共に、この接点パターンに対して接離可能な導電性の摺動子が操作部材に保持されていると、操作部材の前後進動作に伴い該摺動子が該接点パターンに接離してオン／オフの切り換えが行われるスイッチとして動作させることができる。
【発明の効果】
【００１２】
本発明の複合操作型電気部品は、操作部材を回転操作するとスライダがスライド移動して第１の信号発生手段から電気信号が出力され、この操作部材をプッシュ操作すると第２の信号発生手段から電気信号が出力されるようになっており、回転操作力やプッシュ操作力を除去すると捩りコイルばねの弾性力で操作部材を初期位置へ自動復帰させることができる。また、この初期位置においても操作部材は捩りコイルばねに弾性付勢された状態に保たれるため、ハウジングに対して回転可能かつ前後進可能な操作部材を安定的に保持することができる。しかも、ハウジングには第１および第２の規制部が設けられているため、回転操作時に操作部材が誤って前後進したり、プッシュ操作時に操作部材が誤って回転する虞はない。
【発明を実施するための最良の形態】
【００１３】
発明の実施の形態を図面を参照して説明すると、図１は本発明の実施形態例に係る複合操作型電気部品の非操作時の状態を示すカバーを除いた平面図、図２は該電気部品の断面図、図３は該電気部品のプッシュ操作時の状態を示す図１に対応する平面図、図４は該電気部品の回転操作時の状態を示す図１に対応する平面図、図５は該電気部品の操作部材を示す底面図、図６は該電気部品のハウジングをカバーを除いて示す平面図、図７は該ハウジングの前壁部を示す説明図、図８は該ハウジングの印刷パターン形成面を示す説明図である。
【００１４】
これらの図に示す複合操作型電気部品は、回転操作時には可変抵抗器として動作し、プッシュ操作時にはスイッチとして動作するというものである。この複合操作型電気部品は、有底箱形のケース２の開口端２ａをカバー３で蓋閉した筐体であるハウジング１と、ケース２に内設された接点パターン４と抵抗パターン５および集電パターン６と、つまみ部７ａを有してハウジング１に回転可能かつ前後進可能に支持された操作部材７と、ハウジング１の内部にスライド移動可能に収納されて操作部材７と摺動可能に係合しているスライダ８と、操作部材７を弾性付勢して初期位置へ復帰させる捩りコイルばね９とによって主に構成されており、操作部材７とスライダ８にはそれぞれ導電性の摺動子１０，１１が取着されている。
【００１５】
ハウジング１について説明すると、ケース２は導電性金属板１２〜１６が埋設されたインサート成形品であり、カバー３は板金製である。ケース２の内底面２ｂには支軸１７が突設されていると共に、内底面２ｂを横切るように突出したガイドレール１８が直線状に形成されている。また、ケース２の内底面２ｂには支軸１７の近傍に接点パターン４が配設されている。この接点パターン４は、導電性金属板１２の一端部に形成されたコモン接点４ａと、導電性金属板１３の一端部に形成された一対の固定接点４ｂとからなる。図６では非操作時における後述する弾性片１０ａ，１０ｂの位置を示している。なお、コモン接点４ａにはクリック感を生起させるための段差が形成されている。また、導電性金属板１２，１３の他端部は、それぞれ外部接続端子１９，２０としてケース２の外表面に露出している。このケース２は前壁部と一対の側壁部と奥壁部とが内底面２ｂに対して起立しており、前壁部には、プッシュ操作時に操作部材７の係合凸部７ｄが摺動可能に挿入されるガイド凹所２ｃが設けられていると共に、回転操作時に該係合凸部７ｄを位置規制する一対の傾斜壁２ｄが設けられている。また、ケース２の側壁部には、捩りコイルばね９の両端部を弾接させて掛止可能な一対のばね受け部２ｅが設けられている。ケース２の奥壁部には導電性金属板１４〜１６が埋設されていると共に、該奥壁部の内壁面である印刷パターン形成面２ｆに抵抗パターン５と集電パターン６が配設されている。両パターン５，６は導電性金属板１４〜１６をインサートして成形された平板状成形品の平坦面に印刷形成されており、ケース２の奥壁部以外の部分を成形する際に該平板状成形品を金型内にインサートしておくことによって、奥壁部と残余の部分とが一体化されたケース２が得られる。
【００１６】
図８に示すように、抵抗パターン５と集電パターン６は、所定の間隔を存して一直線状に配置された略同等の大きさの帯状パターンとしてケース２の印刷パターン形成面２ｆに印刷形成されている。抵抗パターン５の両端部は導電性金属板１４，１５に接続されており、これら導電性金属板１４，１５の一部が外部接続端子２１，２２としてケース２の外表面に露出している。集電パターン６は導電性金属板１６に接続されており、この導電性金属板１６の一部が外部接続端子２３としてケース２の外表面に露出している。なお、本実施形態例に係る複合操作型電気部品は図示せぬ配線基板上に面実装して使用されるが、その際、ケース２の外表面に露出している各外部接続端子１９〜２３が該配線基板のランドに半田付けされる。
【００１７】
操作部材７は合成樹脂製であり、ハウジング１の外方へ突出するつまみ部７ａの突出量を増減させる前後進動作と、つまみ部７ａを揺動させる回転動作とが行えるように、ハウジング１に支持されている。この操作部材７には、ハウジング１の内部においてケース２の内底面２ｂと対向する側に軸受凹所７ｂが設けられ、カバー３と対向する側にばね取付部７ｃが設けられている。また、操作部材７のつまみ部７ａと軸受凹所７ｂとの間には前記係合凸部７ｄが設けられている。軸受凹所７ｂはＵ字状の周壁を有し、この軸受凹所７ｂ内にケース２の支軸１７が摺動可能に嵌挿されている。ばね取付部７ｃは円柱状に形成されており、このばね取付部７ｃに捩りコイルばね９の巻回部９ａが外嵌されている。この捩りコイルばね９は両端部をケース２のばね受け部２ｅに弾接させた状態で組み込まれるため、その反力で巻回部９ａが操作部材７のばね取付部７ｃを弾性付勢するようになっている。そのため、非操作時には図１に示すように、捩りコイルばね９の弾性力によってケース２の支軸１７が軸受凹所７ｂの周壁に圧接して、操作部材７は支軸１７に係止された安定した姿勢で保持されている。この操作部材７は支軸１７を回転中心として回転操作可能であり、その回動平面はケース２の内底面２ｂに対して平行で印刷パターン形成面２ｆに対して直交する平面となる。また、操作部材７は捩りコイルばね９の付勢力に抗してハウジング１内へ押し込むというプッシュ操作が可能であり、図１と図３に示すように、このプッシュ操作時に支軸１７を退避させるための逃げスペースＳ１が軸受凹所７ｂ内に形成されている。また、操作部材７には側方へせり出し、捩りコイルばね９の一対の腕部９ｂとそれぞれ係合する一対のばね係合部７ｅが設けられている。そして、図４に示すように、回転操作時には、一方のばね係合部７ｅが捩りコイルばね９の一方の腕部９ｂとの係合状態を保ち、他方のばね係合部７ｅは他方の腕部９ｂから離れるようになっている。また、操作部材７のつまみ部７ａ側とは逆側の端部には、先端部が平面視円弧状に形成された駆動凸部７ｆが突設されている。この駆動凸部７ｆはスライダ８の係合凹部８ａに摺動可能に挿入されており、操作部材７の回転動作に伴ってスライダ８がスライド移動するように連結されているため、これら駆動凸部７ｆと係合凹部８ａとによって回転運動を直線運動に変換する簡素な構造のリンク機構が実現されている。
【００１８】
捩りコイルばね９は、操作部材７のばね取付部７ｃに取り付けられた巻回部９ａの両端から腕部９ｂを延出させており、両腕部９ｂを閉じる向きに弾性変形することによって操作部材７を初期位置へ復帰させる弾性力を生起する。この捩りコイルばね９は、操作部材７が回転動作していないときには、その両腕部９ｂがケース２のばね受け部２ｅに弾接状態で掛止されている。また、操作部材７が回転動作しているときには、一方の腕部９ｂがケース２のばね受け部２ｅから離脱して操作部材７のばね係合部７ｅと係合するようになっている。
【００１９】
摺動子１０はプッシュ操作を検出するためのもので、導電性の金属薄板からなる。図５に示すように、この摺動子１０は操作部材７の軸受凹所７ｂ側の面にかしめ固定されており、コモン接点４ａに常時弾接する弾性片１０ａと、プッシュ操作時に固定接点４ｂに接離する弾性片１０ｂとを有する。
【００２０】
スライダ８は合成樹脂製であり、ハウジング１の内部空間の印刷パターン形成面２ｆ寄りの奥部に、ガイドレール１８に案内されつつスライド移動できるように収納されている。このスライダ８には、操作部材７の駆動凸部７ｆが摺動可能に挿入される係合凹部８ａと、ガイドレール１８が摺動可能に挿入されるガイド溝８ｂとが設けられており、ガイドレール１８の長手方向（抵抗パターン５の長手方向）がスライダ８のスライド移動方向となる。また、図１と図３に示すように、係合凹部８ａ内にはプッシュ操作時に駆動凸部７ｆを退避させるための逃げスペースＳ２が形成されている。このスライダ８には印刷パターン形成面２ｆとの対向面に摺動子１１が取着されており、スライダ８のスライド移動に伴って摺動子１１の湾曲弾性片１１ａ，１１ｂがそれぞれ抵抗パターン５と集電パターン６に対して摺動するようになっている。
【００２１】
この摺動子１１は導電性の金属薄板からなり、図１〜図４に示すように平板部１１ｃと一対の湾曲弾性片１１ａ，１１ｂとを有する。平板部１１ｃはスライダ８にかしめ固定されて印刷パターン形成面２ｆと所定の間隔を存して対向しており、この平板部１１ｃから印刷パターン形成面２ｆへ向けて略対称に一対の湾曲弾性片１１ａ，１１ｂが互いに離れる方向に延設されている。そして、一方の湾曲弾性片１１ａが抵抗パターン５に弾接し、他方の湾曲弾性片１１ｂが集電パターン６に弾接しているため、スライダ８がスライド移動すると、抵抗パターン５に対する湾曲弾性片１１ａの接触位置が変化して、外部接続端子２１，２３間の抵抗値や外部接続端子２２，２３間の抵抗値が変化するようになっている。
【００２２】
次に、上記の如く構成された複合操作型電気部品のプッシュ操作時の動作と回転操作時の動作について説明する。非操作時には図１に示すように、操作部材７は捩りコイルばね９によって同図上向きに弾性付勢されていると共に、ケース２の支軸１７に係止されている。この状態で、ユーザがつまみ部７ａを介して操作部材７をハウジング１内へ押し込むというプッシュ操作を行うと、操作部材７は捩りコイルばね９の付勢力に抗してハウジング１内へ後退するため、図３に示すように、捩りコイルばね９の両腕部９ｂが閉じる向きに弾性変形すると共に、操作部材７の係合凸部７ｄがケース２のガイド凹所２ｃ内へ摺動可能に挿入される。こうしてガイド凹所２ｃ内へ挿入された係合凸部７ｄは該ガイド凹所２ｃの壁面によって位置規制されるため、操作部材７をハウジング１に対して円滑に前後進させることができ、かつ、プッシュ操作時に誤って操作部材７を回転させてしまう虞もない。また、プッシュ操作時には支軸１７が相対的に軸受凹所７ｂ内の逃げスペースＳ１に退避し、駆動凸部７ｆが係合凹部８ａ内の逃げスペースＳ２に退避する。そして、プッシュ操作時に操作部材７がハウジング１内へ後退するのに伴い、摺動子１０の弾性片１０ｂが固定接点４ｂに接触するため、摺動子１０を介してコモン接点４ａと固定接点４ｂとが導通されてスイッチオン信号が出力されるようになっている。なお、こうしてスイッチオン状態となる直前に摺動子１０の弾性片１０ａがコモン接点４ａの前記段差を乗り越えるため、クリック感が生起される。また、かかるプッシュ操作後に操作力が除去されると、押し撓められていた捩りコイルばね９が自身の弾性で図１に示す位置まで戻るため、操作部材７は初期位置へ自動復帰する。
【００２３】
非操作状態でユーザがつまみ部７ａを介して操作部材７を回転操作した場合には、図４に示すように、支軸１７を回転中心として回転する操作部材７のばね係合部７ｅが一方の腕部９ｂを付勢するため、この腕部９ｂがケース２のばね受け部２ｅから離脱すると共に、両腕部９ｂが閉じる向きに弾性変形する。また、操作部材７の係合凸部７ｄはガイド凹所２ｃに隣接する傾斜壁２ｄと重なり合うため、この傾斜壁２ｄに位置規制されて操作部材７をハウジング１に対して円滑に回転させることができ、かつ、回転操作時に誤って操作部材７を前後進させてしまう虞もない。そして、操作部材７が回転するのに伴い駆動凸部７ｆがスライダ８を駆動してスライド移動させるため、抵抗パターン５に対する湾曲弾性片１１ａの接触位置が変化して、操作部材７の回転操作量や回転操作方向に応じた電気信号が出力されるようになっている。また、かかる回転操作後に操作力が除去されると、押し撓められていた捩りコイルばね９が自身の弾性で図１に示す位置まで戻るため、操作部材７は初期位置へ自動復帰する。
【００２４】
以上説明したように本実施形態例に係る複合操作型電気部品は、操作部材７を回転操作するとスライダ８がスライド移動して摺動子１１が抵抗パターン５に対し摺動するため、小型であっても高精度な操作が可能な可変抵抗器として動作させることができる。また、操作部材７をプッシュ操作すると摺動子１０が固定接点４ｂに接触するため、スイッチとして動作させることもできる。そして、回転操作時には捩りコイルばね９の一方の腕部９ｂが操作部材７と共に回転してハウジング１から離脱するため、捩りコイルばね９の両腕部９ｂが閉じる向きに弾性変形し、プッシュ操作時には捩りコイルばね９の巻回部９ａが操作部材７と共に後退するため、ばね受け部２ｅに掛止されている捩りコイルばね９の両腕部９ｂが閉じる向きに弾性変形する。そのため、回転操作力やプッシュ操作力が除去されると、捩りコイルばね９の両腕部９ｂの弾性力によって操作部材７は初期位置へ自動復帰することとなり、異なる操作のセルフリターン機能が１個の捩りコイルばね９で簡単に実現できる。しかも、ハウジング１のケース２には、操作部材７の係合凸部７ｄを位置規制するガイド凹所２ｃ（第２の規制部）や傾斜壁２ｄ（第１の規制部）が設けられているため、回転操作時に操作部材７が誤って前後進したり、プッシュ操作時に操作部材７が誤って回転する虞はない。
【００２５】
また、本実施形態例に係る複合操作型電気部品は、操作部材７の軸受凹所７ｂにケース２の支軸１７を嵌挿して、非操作時には捩りコイルばね１９の弾性力によって軸受凹所７ｂの周壁を支軸１７に圧接させているため、操作部材７をがた付きなく回転させたり前後進させることができると共に、支軸１７の突出方向に沿う電気部品全体の高さ寸法を抑制した薄型化が図りやすくなっている。ただし、ケース２の内底面２ｂに刻設した凹部に操作部材７に突設した凸部を嵌挿させるという構成にしてもよい。同様に、操作部材７の駆動凸部７ｆとスライダ８の係合凹部８ａとの凹凸関係を逆にすることも可能である。
【００２６】
なお、上記実施形態例では、ケース２の内底面２ｂに接点パターン４を配設して奥壁部の印刷パターン形成面２ｆに抵抗パターン５と集電パターン６を配設しているが、プッシュ操作時だけでなく回転操作時にもスイッチとして動作する複合操作型電気部品の場合には、スライダ８に保持された摺動子と接離可能な別の接点パターンをケース２の内底面２ｂに配設するという構成にしてもよい。
【図面の簡単な説明】
【００２７】
【図１】本発明の実施形態例に係る複合操作型電気部品の非操作時の状態を示すカバーを除いた平面図である。
【図２】該電気部品の断面図である。
【図３】該電気部品のプッシュ操作時の状態を示す図１に対応する平面図である。
【図４】該電気部品の回転操作時の状態を示す図１に対応する平面図である。
【図５】該電気部品の操作部材を示す底面図である。
【図６】該電気部品のハウジングをカバーを除いて示す平面図である。
【図７】該ハウジングの前壁部を示す説明図である。
【図８】該ハウジングの印刷パターン形成面を示す説明図である。
【符号の説明】
【００２８】
１  ハウジング
２  ケース
２ｂ  内底面
２ｃ  ガイド凹所（第２の規制部）
２ｄ  傾斜壁（第１の規制部）
２ｅ  ばね受け部
３  カバー
４  接点パターン（第２の信号発生手段）
５  抵抗パターン（第１の信号発生手段）
６  集電パターン（第１の信号発生手段）
７  操作部材
７ａ  つまみ部
７ｂ  軸受凹所
７ｃ  ばね取付部
７ｄ  係合凸部
７ｅ  ばね係合部
７ｆ  駆動凸部
８  スライダ
８ａ  係合凹部
９  捩りコイルばね
９ａ  巻回部
９ｂ  腕部
１０，１１  摺動子
１７  支軸
１８  ガイドレール
１９〜２３  外部接続端子
Ｓ１，Ｓ２  逃げスペース
【図１】
2008210688.tif 000003
【図２】
2008210688.tif 000004
【図３】
2008210688.tif 000005
【図４】
2008210688.tif 000006
【図５】
2008210688.tif 000007
【図６】
2008210688.tif 000008
【図７】
2008210688.tif 000009
【図８】
2008210688.tif 000010